(57)【要約】【課題】人体に装着する機器の操作性を向上させるデータ通信システムを提供する。【解決手段】使用者１の体に装着される装着用機器２と、使用者１が保持し装着用機器２とデータの通信を行う通信機器３と、を備え、通信機器３には、データを送信するデータ送信部１１及び使用者１の体と接触する第１の通信用電極８が設けられ、装着用機器２には、データ送信部１１から送信されたデータを受信するデータ受信部１６及び使用者の体と接触する第２の通信用電極１３が設けられ、第１の通信用電極８及び第２の通信用電極１３は、それぞれ少なくともいずれか一方が接触する２つの電極Ａ，Ｂ及びＣ，Ｄを備え、データ送信部１１は、第１の通信用電極８を介して人体１を伝送路としてデータを送信し、データ受信部１６は、第２の通信用電極１３を介してデータを受信することにより、装着用機器２と通信機器３との間でデータの送受信を行う。【選択図】  図１
2007006420.tif 000002
【特許請求の範囲】
【請求項１】
使用者の体に装着される装着用機器と、使用者が保持し装着用機器とデータの通信を行う通信機器と、を備え、
通信機器には、データを送信するデータ送信部及び使用者の体と接触する第１の通信用電極が設けられ、装着用機器には、データ送信部から送信されたデータを受信するデータ受信部及び使用者の体と接触する第２の通信用電極が設けられ、第１の通信用電極及び第２の通信用電極は、それぞれ少なくともいずれか一方が接触する２つの電極を備え、
データ送信部は、第１の通信用電極を介して人体を伝送路としてデータを送信し、データ受信部は、第２の通信用電極を介して前記データを受信することにより、装着用機器と通信機器との間でデータの送受信を行うことを特徴とするデータ通信システム。
【請求項２】
第１の通信用電極の２つの電極は、使用者が通信機器を保持した時に、いずれも使用者の体と接触する位置に配設され、
第２の通信用電極の２つの電極は、使用者が装着用機器を装着した時に、一方の電極が使用者と接触する位置に配設され、他方の電極が、使用者の体と接触しない位置に配設されてなることを特徴とする請求項１記載のデータ通信システム。
【請求項３】
第１の通信用電極の２つの電極は、使用者が通信機器を保持した時に、いずれも使用者の体と接触する位置に配設され、
第２の通信用電極の２つの電極は、使用者が装着用機器を装着した時に、いずれも使用者の体と接触する位置に配設されてなることを特徴とする請求項１記載のデータ通信システム。
【請求項４】
装着用機器は、ヘッドフォンであって、第２の通信用電極の他方の電極は、ヘッドフォンにおける使用者の頭部の略中央に位置する位置に設けられてなることを特徴とする請求項２記載のデータ通信システム。
【請求項５】
通信機器には、データ受信部が設けられ、装着用機器には、データ送信部が設けられ、装着用機器のデータ送信部は、第２の通信用電極を介して人体を伝送路としてデータを送信し、通信機器のデータ受信部は、第１の通信用電極を介してデータを受信することにより、装着用機器と通信機器との間でデータの送受信を行うことを特徴とする請求項１乃至４記載のデータ通信システム。
【請求項６】
装着用機器は、通信機器のデータ送信部からデータの送信を開始させる起動開始信号を、通信機器のデータ受信部に送信する起動スイッチを有することを特徴とする請求項５記載のデータ通信システム。
【請求項７】
通信機器には、通信機器のデータ送信部からデータの送信を開始させる起動開始信号を、装着用機器から通信機器に向けて出力させるよう装着用機器に対して要求する起動要求信号の送信を一定周期間隔で行う手段が設けられてなることを特徴とする請求項５記載のデータ通信システム。
【請求項８】
通信機器は、携帯機器の制御手段との間でデータの送受信を行うインターフェイス部を有することを特徴とする請求項１乃至７記載のデータ通信システム。
【発明の詳細な説明】
【技術分野】
【０００１】
本発明は、使用者の体に装着される装着用機器と、使用者に保持された通信機器とが、人体を伝送路の一部とし、データを送受信するデータ通信システムに関するものである。
【背景技術】
【０００２】
従来、比較的近距離にあるデータ通信装置間のデータ通信方法としては、ケーブル接続による有線通信を用いる方法や、光又は電波等による無線通信を用いる方法がある。しかしながら、ケーブルによる有線通信を用いる方法は、ケーブルを接続する作業が面倒である上、ケーブルを持ち歩く必要もあり、非常に不便である。一方、無線通信を用いる方法は、面倒な手間なくデータ通信を行うことができるが、通信時にデータが傍受されてデータが第三者に漏れる危険性があると共に、混信の可能性もあり、セキュリティ面に不安がある。
【０００３】
以上のような課題を解決するために、例えば特許文献１のように、人体を伝送路の一部としてデータを送受信するデータ通信システムが知られている。すなわち、特許文献１のデータ通信システムは、図１１に示すように、データを送信するデータ送信装置１００は、使用者１の体に接触する送信用電極１０１を備え、使用者１の体（例えば、腕部）に保持されている。又、データを受信するデータ受信装置１０２は、受信用電極１０３を備え、大地に接地されている。このデータ通信システムの通信方法としては、使用者１が指先でデータ受信装置１０２の受信用電極１０３に接触すると、使用者１の体に微弱な電流が流れ、データ送信装置１００から送信されたデータが使用者１の体を流れる電流にのって送信され、受信用電極１０３を介してデータ受信装置１０２がデータを受信する。
【特許文献１】特開２００１−０７７７３５号公報
【発明の開示】
【発明が解決しようとする課題】
【０００４】
例えば、人体に装着する機器（デジタルヘッドホンスピーカー、補聴器等）の操作性を向上させるために、人体を伝送路の一部とする方法が考えられる。この場合、データ受信装置をデジタルヘッドホンスピーカー等の機器に組み込むことになるが、デジタルヘッドホンスピーカー等の機器は人体が移動しても使用できる状態でなければ利便性がないため、データ受信装置へデータを送信するデータ送信装置も携帯できるようになっていることが求められる。
【０００５】
しかし、特許文献１のような人体を伝送路の一部としてデータの送受信をするデータ通信システムでは、安定したデータ通信を行うために、データ送信装置１００を人体１に装着すると共に、データ受信装置１０２を接地して使用することが前提であり、データ受信装置１０２をデジタルヘッドホンスピーカーのような、接地されていない機器へ組み込んだ場合、大地アースの基準電位を伝達するための結合がとれなくなるために、通信ができなくなったり、不安定になってしまうことがある。
【０００６】
本発明は、上記事項に鑑みてなしたもので、その目的は、人体に装着する機器の操作性を向上させるデータ通信システムを提供することにある。
【課題を解決するための手段】
【０００７】
請求項１に係る発明のデータ通信システムは、使用者の体に装着される装着用機器と、使用者が保持し装着用機器とデータの通信を行う通信機器と、を備え、通信機器には、データを送信するデータ送信部及び使用者の体と接触する第１の通信用電極が設けられ、装着用機器には、データ送信部から送信されたデータを受信するデータ受信部及び使用者の体と接触する第２の通信用電極が設けられ、第１の通信用電極及び第２の通信用電極は、それぞれ少なくともいずれか一方が接触する２つの電極を備え、データ送信部は、第１の通信用電極を介して人体を伝送路としてデータを送信し、データ受信部は、第２の通信用電極を介して前記データを受信することにより、装着用機器と通信機器との間でデータの送受信を行うことを特徴とする。
【０００８】
この構成によれば、通信機器により人体を伝送路として装着用機器を操作できることにより、有線通信のようにケーブルを用いる必要がなく、無線通信のように通信の混信の心配がないので、装着用機器の操作性が向上する。
【０００９】
請求項２に係る発明のデータ通信システムは、請求項１記載のデータ通信システムにおいて、第１の通信用電極の２つの電極は、使用者が通信機器を保持した時に、いずれも使用者の体と接触する位置に配設され、第２の通信用電極の２つの電極は、使用者が装着用機器を装着した時に、一方の電極が使用者と接触する位置に配設され、他方の電極が、使用者の体と接触しない位置に配設されてなることを特徴とする。
【００１０】
この構成によれば、請求項１記載のデータ通信システムにおいて、装着用機器の第２の通信電極の一方の電極が、装着用機器を装着した時に使用者と接触する部位に配設され、他方の電極が装着用機器を装着した時に使用者と接触しない部位に配設されたことにより、通信機器を使用者が保持している場合に、手先等で第２の電極の他方の電極に触れるだけで、人体に接触している第１の通信用電極の２つの電極及び第２の通信用電極の２つの電極が人体を媒体として電気的に接続されることで、人体を伝送路とした回路形成されて、この回路に微弱な電流が流れ、この電流にデータをのせて通信機器のデータ送信部からデータが送信されるので、装着用機器の操作性がさらに向上する。
【００１１】
請求項３に係る発明のデータ通信システムによれば、請求項１記載のデータ通信システムにおいて、第１の通信用電極の２つの電極は、使用者が通信機器を保持した時に、いずれも使用者の体と接触する位置に配設され、第２の通信用電極の２つの電極は、使用者が装着用機器を装着した時に、いずれも使用者の体と接触する位置に配設されてなることを特徴とする。
【００１２】
この構成によれば、請求項１記載のデータ通信システムにおいて、装着用機器における第２の通信用電極の２つの電極が、使用者が装着用機器を装着した時に、使用者と接触する装着部位に配されたことにより、通信機器を使用者が保持している場合に、あえて電極に触ることなく、手先等を使用者の人体のどこか一部に触れるだけで、人体に接触している第１の通信用電極の２つの電極及び第２の通信用電極の２つの電極が人体を媒体として電気的に接続されることで、人体を伝送路とした回路が形成されて、この回路に微弱な電流が流れ、この電流にデータをのせて通信機器のデータ送信部からデータが送信されるので、装着用機器の操作性がさらに向上する。
【００１３】
請求項４に係る発明のデータ通信システムは、請求項２記載のデータ通信システムにおいて、装着用機器は、ヘッドフォンであって、第２の通信用電極の他方の電極は、ヘッドフォンにおける使用者の頭部の略中央に位置する位置に設けられてなることを特徴とする。
【００１４】
この構成によれば、装着用機器がヘッドフォンである場合、第２の通信用電極の他方の電極がヘッドフォンにおける使用者の頭部の略中央に位置する部位に設けられたことにより、手先を第２の通信用電極の他方の電極に触れる場合に、左右どちらの手でも触れ易くなり、装着用機器の操作性がさらに向上する。
【００１５】
請求項５に係る発明のデータ通信システムは、請求項１乃至４記載のデータ通信システムにおいて、通信機器には、データ受信部が設けられ、装着用機器には、データ送信部が設けられ、装着用機器のデータ送信部は、第２の通信用電極を介して人体を伝送路としてデータを送信し、通信機器のデータ受信部は、第１の通信用電極を介してデータを受信することにより、装着用機器と通信機器との間でデータの送受信を行うことを特徴とする。
【００１６】
この構成によれば、通信機器には、データ受信部が設けられ、装着用機器には、データ送信部が設けられ、装着用機器のデータ送信部は、第２の通信用電極を介して人体を伝送路としてデータを送信し、通信機器のデータ受信部は、第１の通信用電極を介してデータを受信することにより、装着用機器と通信機器との間で双方向通信が可能となり、装着用機器からのレスポンス等を通信機器の表示器等に表示することができ、把握できるデータ量が増加し、装着用機器の操作の幅が広がる。
【００１７】
請求項６に係る発明のデータ通信システムは、請求項５記載のデータ通信システムにおいて、装着用機器は、通信機器のデータ送信部からデータの送信を開始させる起動開始信号を、通信機器のデータ受信部に送信する起動スイッチを有することを特徴とする。
【００１８】
例えば、通信機器を操作してから装着用機器の電極に使用者が接触して人体内に微弱電流が流れて、通信機器からのデータが装着用機器に送信される場合、使用者が通信機器を操作してから装着用機器の電極が使用者に接触するまでの間は、通信機器のデータ送信部は、装着用機器のデータ受信部でデータが受信されるまでデータを送信し続けることになる。そのため、通信機器を操作してから装着用機器の電極が使用者に接触するまでの間が長ければ長いほど、通信機器のデータ送信部がデータを送信する消費電力が大きくなってしまう。この構成によれば、請求項５記載のデータ通信システムにおいて、装着用機器は、通信機器のデータ送信部からデータの送信を開始させる起動開始信号を、通信機器のデータ受信部に送信する起動スイッチを有していることにより、通信機器は、起動スイッチの起動通知信号を受信してから装着用機器にデータを送信するため、装着用機器にデータを送信するための無駄な送信動作や、装着用機器におけるデータ受信部の無駄な受信動作を省くことができて、ひいては通信機器の消費電力を抑えることができる。
【００１９】
請求項７に係る発明のデータ通信システムは、請求項５記載のデータ通信システムにおいて、通信機器には、通信機器のデータ送信部からデータの送信を開始させる起動開始信号を、装着用機器から通信機器に向けて出力させるよう装着用機器に対して要求する起動要求信号の送信を一定周期間隔で行う手段が設けられてなることを特徴とする。
【００２０】
この構成によれば、装着用機器が使用者に接触した時に、通信機器は装着用機器から起動開始信号を通信機器に送信させるための、起動要求信号を送信するため、請求項６のデータ通信システムのように、起動スイッチを設けなくてもシステム全体の消費電力を抑えることができる。
【００２１】
請求項８に係る発明のデータ通信システムは、請求項１乃至７記載のデータ通信システムにおいて、通信機器は、携帯機器の制御手段との間でデータの送受信を行うインターフェイス部を有することを特徴とする。
【００２２】
この構成によれば、携帯機器の操作部と表示部を利用することにより、通信機器自体に操作部や表示部を設ける必要がなく、低コスト化を図ることができる。
【発明の効果】
【００２３】
本発明のデータ通信システムによれば、通信機器により人体を伝送路として装着用機器を操作できることにより、有線通信のようにケーブルを用いる必要がなく、無線通信のように通信の混信の心配がないので、装着用機器の操作性が向上する。
【発明を実施するための最良の形態】
【００２４】
以下、本発明を実施形態１乃至６に基づいて説明する。
【００２５】
（実施形態１）
本実施形態のデータ通信システムは、ワイヤレスコントロール機能付きのヘッドフォン型のオーディオデジタルプレーヤ２（以下、ヘッドフォン２と略称）を備えた通信システムに用いられる。
【００２６】
本通信システムは、図１に示すように、使用者１の頭部に装着する装着用機器であるヘッドフォン２と、使用者１の手に保持する通信機器であるリモコン操作器３と、を有している。これらのヘッドフォン２とリモコン操作器３との間でデータの送受信が行われて、ヘッドフォン２の音量や音質等が調節される。
【００２７】
図２（ａ）は、リモコン操作器３の表面図、図２（ｂ）はリモコン操作器３の裏面図である。図２（ａ）に示すように、円盤状の操作台４に操作スイッチ５と表示部６とが設けられ、操作台４にはリストバンド７が設けられ、該リストバンド７によってリモコン操作器３が使用者１の手首に取付けて腕時計のように固定するのである。リモコン操作器３は、使用者１の腕に保持できるものであれば、その形態を問わないが、本実施形態では、リストバンド型のリモコン操作器３を用いている。
【００２８】
操作スイッチ５は、例えば、ヘッドフォン２で音楽を聴きたい場合、リモコン操作器３に入力された音楽データを選択し、音楽の再生音量や、巻戻し、早送り、一時停止等の操作が可能なようになっている。これらの操作は、後述するリモコン操作器３内部に設けられたリモコン制御部９によって制御されている。
【００２９】
リモコン操作器３の裏面には、図２（ｂ）に示すように、第１の通信用電極８が設けられている。この第１の通信用電極８は、使用者１の体を伝送路としてリモコン操作器３との送受信を行うためのものである。
【００３０】
第１の通信用電極８は、信号通信用の電極である信号電極Ａと、基準電位用の電極である基準電極Ｂとの２つの電極を有している。この信号電極Ａ及び基準電極Ｂは、それぞれリモコン操作器３の裏面に取付けられ、使用者１がリモコン操作器３を保持（装着）した時に使用者１の肌と直接接触できるような位置に配設されている。
【００３１】
図３はリモコン操作器３の構成図である。リモコン操作器３は、前述した２つの電極（信号電極Ａ，基準電極Ｂ）と、操作スイッチ５と、リモコン制御部９とが設けられている。また、操作スイッチ５での操作状態を表示する表示部６が使用者１が外部から目視できるような位置に配設され、リモコン操作器３の電源である電池１０が、リモコン制御部９に接続され、リモコン操作器３内のデータをヘッドフォン２に送信するデータ送信部１１と、ヘッドフォン２からのデータを受信するデータ受信部１２とが設けられている。さらに、信号電極Ａ，基準電極Ｂはそれぞれデータ送信部１１及びデータ受信部１２と接続されている。
【００３２】
本実施形態におけるヘッドフォン２は、使用者１の両耳に当接するスピーカ部２ａ，２ｂを有するもので説明する。しかし、使用者の耳に引掛けて使用する形態のものや、イヤフォンのように使用者１の耳の穴を挿入する形態のものであってもよい。
【００３３】
図１に示すように、ヘッドフォン２は、使用者１の両耳に当接される２つのスピーカ部２ａ，２ｂと、該２つのスピーカ部２ａ，２ｂが接続されて、使用者１の頭頂部で両スピーカ部２ａ，２ｂを支持する接続部材２ｃと、を有している。
【００３４】
一方のスピーカ部２ａには第２の通信用電極１３が設けられている。この第２の通信用電極１３は、使用者１の体を伝送路としてヘッドフォン２（２ａ）からの送受信を行うためのものである。図１に示すように、第２の通信用電極１３は、基準電位用の電極である基準電極Ｃと、信号通信用の電極である信号電極Ｄとの２つの電極を有している。この２つの電極Ｃ，Ｄのうち、一方の基準電極Ｃは、使用者１がヘッドフォン２を装着した時に、ヘッドフォン２におけるスピーカ部２ａの使用者１の耳に接触する側の面であって、使用者１の肌と直接接触可能な面に設けられている。他方の信号電極Ｄは、基準電極Ｃと反対側の面、つまりヘッドフォン２を装着した時に使用者１と接触しない面に設けられ、ヘッドフォン２を装着した時でも、使用者１の手指等で接触できるようになっている。
【００３５】
図４は一方のスピーカ部２ａに配設されている各構成を示した回路構成図である。スピーカ部２ａには、スピーカ部２ａに電源を供給する電源回路部１４と、スピーカ部２ａの動作回路である本体回路部１５と、スピーカ２ａを制御する本体制御部１８と、スピーカ部２ａが有するデータをリモコン操作器３に送信するデータ送信部１６と、リモコン操作器３からのデータを受信するデータ受信部１７とが設けられている。電源回路部１４、本体回路部１５、データ送信部１６及びデータ受信部１７は、本体制御部１８によって制御されている。さらに、前述した２つの基準電極Ｃと信号電極Ｄとを有した第２の通信用電極１３が設けられ、それぞれがデータ送信部１６及びデータ受信部１７と接続されている。
【００３６】
次に本実施形態のデータ通信システムの通信方法について説明する。まず、図１を用いて本発明のデータ通信システム全体の通信動作について説明する。リモコン操作器３のデータ送信部１１からヘッドフォン２に向けてデータが送信される場合、リモコン操作器３の操作スイッチ５を押下すると、リモコン操作器３のデータ送信部１１はデータの送信待機状態になる。この状態で、使用者が、スピーカ部２ａの第２の通信用電極１３の内の信号電極Ｄを指で接触すると、信号電極Ａ、使用者１の手指、信号電極Ｄ、基準電極Ｃ、使用者１の頭部、使用者１の腕部、基準電極Ｂをループとした伝送路が形成される。この人体を伝送路とした回路を微弱な電流が流れて、その電流にリモコン操作器３のデータ送信部１１から送信されたデータをのせて、スピーカ部２ａのデータ受信部１７にデータが受信される。
【００３７】
また、スピーカ部２ａのデータ送信部１６からリモコン操作器３に向けてデータが送信される場合は、使用者１が、スピーカ部２ａの第２の通信用電極１３の内の信号電極Ｄを指で接触すると、信号電極Ｄ、使用者１の手指、信号電極Ａ、基準電極Ｂ、使用者１の腕部、使用者１の頭部、基準電極Ｃをループとした伝送路が形成される。この人体を伝送路とした回路を微弱な電流が流れて、その電流にスピーカ部２ａのデータ送信部１６から送信されたデータをのせて、リモコン操作部３のデータ受信部１２にデータが受信される。
【００３８】
次に本発明のデータ通信システムの通信方法について具体的に説明する。図１に示すように、使用者１は頭部にヘッドフォン２を装着し、腕にリストバンド型のリモコン操作器３を保持する。
【００３９】
まず始めに、リモコン操作器３からヘッドフォン２に向けてデータが送信される場合を説明する。例えば、使用者１が音楽を聞きたい時、予めリモコン操作器３内のリモコン制御部９内に記憶されている音楽データを操作スイッチ５で選曲しており、次にその曲を再生したい場合で説明する。図２に示すリモコン操作器３の操作スイッチ５のうち、再生スイッチ５ａを押下する。するとその再生情報が図３に示すリモコン制御部９に伝送される。リモコン制御部９の再生情報は、データ送信部１１に送信され、データ送信部１１は伝送路が形成された時、即座にデータが送信されるように、データ送信待機状態になっている。
【００４０】
ここで、使用者１がスピーカ部２ａの信号電極Ｄに指で接触した場合、人体を伝送路とした回路が形成され、リモコン操作器３のデータ送信部１１にデータ送信待機状態となっているデータが、リモコン操作器３の信号電極Ａを介して手指を伝送路として、ヘッドフォン２の信号電極Ｄに送信される。信号電極Ｄに送信されたデータは、図４のスピーカ部２ａのデータ受信部１７に受信される。受信したデータは、本体制御部１８により本体回路部１５に伝送され、ヘッドフォン２から音楽が流れることになる。
【００４１】
次に、ヘッドフォン２からリモコン操作器３に向けてデータが送信される場合を説明する。例えば、スピーカ部２ａの電源回路部１４として電池が使用されていた場合、電池残量をリモコン操作器３の表示部６に表示して使用者１に知らせることが考えられる。図４に示すように、ヘッドフォン２の電池残量のデータは、スピーカ部２ａの本体制御部１８を介してデータ送信部１６に伝送される。この電池残量のデータは、伝送路が形成された時、即座にデータが送信されるように、送信待機状態になっている。
【００４２】
ここで、使用者１がスピーカ部２ａの信号電極Ｄに指で接触した場合、人体を伝送路とした回路が形成され、スピーカ部２ａのデータ送信部１６から送信待機状態となっているデータが、スピーカ部２ａの信号電極Ｄを介して手指を伝送路として、リモコン操作器３の信号電極Ａに送信される。信号電極Ａに送信された電池残量のデータは、図３のリモコン操作器３のデータ受信部１２に受信される。受信した電池残量のデータは、リモコン制御部９を介して表示部６に、電池残量の結果が表示されることになる。
【００４３】
別の例として、リモコン操作器３で何曲もの音楽を連続して再生する場合、現在どの曲がヘッドフォン２から流れているのかわからない時がある。この場合、現在流れている曲の題名をリモコン操作器３の表示部６に表示して使用者に知らせることが考えられる。このような状況でも、上記電池残量のデータの場合と同様にして、スピーカ部２ａから曲名データが信号電極Ｄを介してリモコン操作器３の信号電極Ａに送信されて、曲名データがリモコン操作器３のデータ受信部１２に受信され、表示部６に現在ヘッドフォンから流れている曲が表示されることになる。
【００４４】
本実施形態では、データ通信システムは、ヘッドフォン２を有したオーディオデジタルプレーヤの通信システムに用いられたが、これ以外に、例えば、補聴器等の使用者の頭部に装着して使用し、音量調節機能を有する機器等にも用いることができる。
【００４５】
また、本実施形態では、リモコン操作器３及びスピーカ部２ａの双方に、データ送信部１１，１６及びデータ受信部１２，１７が設けられ、双方向通信が可能であったが、リモコン操作器３にはデータ送信部１１のみが、スピーカ部２ａにはデータ受信部１７のみが設けられていてもよい。反対に、リモコン操作器３にはデータ送信部１２のみが、スピーカ部２ａにはデータ受信部１６のみが設けられていてもよい。これらの場合は、一方向通信となる。
【００４６】
従って、本実施形態によれば、リモコン操作器３により人体を伝送路としてヘッドフォン２を操作できることにより、有線通信のようにケーブルを用いる必要がなく、無線通信のように通信の混信の心配がないので、ヘッドフォン２を用いた通信システムの操作性が向上する。
【００４７】
また、ヘッドフォン２の第２の通信電極１３の基準電極Ｃが、ヘッドフォン２を装着した時に使用者１と接触する部位に配設され、信号電極Ｄがヘッドフォン２を装着した時に使用者１と接しない部位に配設されたことにより、リモコン操作器３を使用者１が保持している場合に、手先等で信号電極Ｄに触れるだけで、使用者１の体に接触している第１の通信用電極８の２つの電極（Ａ，Ｂ）及び第２の通信用電極１３の２つの電極（Ｃ，Ｄ）が人体（使用者１）を媒体として電気的に接続されることで、人体（使用者１）を伝送路とした回路形成されて、この回路に微弱な電流が流れ、この電流にデータをのせてリモコン操作器３のデータ送信部１１からデータが送信されるので、ヘッドフォン２の操作性がさらに向上する。
【００４８】
さらに、スピーカ部２ａとリモコン操作器３との双方に、データ送信部１１，１６及びデータ受信部１２，１７が設けられていることにより、ヘッドフォン２とリモコン操作器３との間で双方向通信が可能となり、ヘッドフォン２からの情報をリモコン操作器３の表示器６等に表示することができ、把握できるデータ量が増加し、ヘッドフォン２を用いた通信システムの操作の幅が広がる。
【００４９】
（実施形態２）
次に本発明の実施形態２を図５に基づいて説明する。図５は、本実施形態のデータ通信システムの使用方法を示した図である。
【００５０】
本実施形態が、実施形態１のデータ通信システムと異なり、特徴となる点は、第２の通信用電極１３の信号電極Ｄが、ヘッドフォン２の接続部材２ｃに取付けられている点である。さらに、信号電極Ｄは、使用者がヘッドフォン２を装着した時に、接続部材２ｃにおける使用者１の略中央に位置する頭頂部にあたる場所に配設されている。リモコン操作器３やヘッドフォン２の他の構成は実施形態１と同様である。
【００５１】
次に、本実施形態のデータ通信システムの使用方法について説明する。図５（ａ）は使用者１が正面を向いており、左腕にリモコン操作器３を装着している時の図である。リモコン操作器３の操作スイッチ５を操作し、データ送信部１１がデータ送信待機状態になっている時、使用者１の左腕でヘッドフォン２における使用者１の頭頂部近傍に設けられた信号電極Ｄを触ると、使用者１の体に伝送路が形成される。すなわち、図５（ａ）の点線に示すような、信号電極Ａ、使用者１の手指、信号電極Ｄ、接続部材２ｃ、基準電極Ｃ、使用者１の頭部、使用者１の腕部、基準電極Ｂをループとした回路が形成されて、微弱な電流が流れて、リモコン操作器３のデータ送信部１１からのデータが、ヘッドフォン２内のデータ受信部１７に受信される。この場合、信号電極Ｄから基準電極Ｃへ向かう伝送路は、接続部材２ｃ内部に設けられたケーブル等の公知の伝送路で接続されている。
【００５２】
図５（ｂ）は、使用者１が正面を向いており、右腕にリモコン操作器３を装着している時の図である。使用者１の右腕でヘッドフォン２における使用者１の頭頂部近傍に設けられた信号電極Ｄを触ると、図５（ａ）の場合と同様に信号電極Ａから基準電極Ｂに至るループが形成されて、リモコン操作器３のデータ送信部１１から送信されたデータをヘッドフォン２内のデータ受信部１７が受信する。
【００５３】
本実施形態によれば、第２の通信用電極１３の信号電極Ｄが、ヘッドフォン２の接続部材２ｃにおける使用者１の頭頂部近傍に設けられたことにより、使用者１が左右どちらの腕にリモコン操作器３を装着しても、自然な動作により信号電極Ｄを触ることができる。よって、ヘッドフォン２を用いた通信システムの操作性がさらに向上する。
【００５４】
（実施形態３）
次に本発明の実施形態３を図６に基づいて説明する。図６は、本実施形態のデータ通信システムの使用方法を示した図である。実施形態１では、信号電極Ｄがスピーカ部２ａにおける使用者１とは反対側の外面に設けられていたが、本実施形態では、使用者１側の面に設けられている。つまり、基準電極Ｃ，信号電極Ｄ共に使用者１側の面に設けられ、ヘッドフォン２を装着した時に基準電極Ｃ，信号電極Ｄが使用者１の体と直接接触できるようになっている。
【００５５】
本実施形態のデータ通信システムの通信方法は、実施形態１と同様であるが、実施形態１の場合は、使用者１は信号電極Ｄを触ることによりデータの送受信を行っていたのに対し、本実施形態では、使用者１は、自らの体を触ることにより、図６の点線で示したように、信号電極Ａ、使用者１の手指、使用者１の頭部、信号電極Ｄ、基準電極Ｃ、使用者１の頭部、腕部、基準電極Ｂをループとした伝送路が形成され、データの送受信を行う。ここで、基準電極Ｃ及び信号電極Ｄ間の伝送路は、スピーカ部２ａ内部に設けられたケーブル等公知の伝送路（図示せず）で導通されている。
【００５６】
本実施形態によれば、あえて信号電極Ｄに触ることなく手先等を使用者１の人体の一部に触れるだけで、人体を伝送路とした回路が形成されてデータが送信されるので、ヘッドフォン２を用いた通信システムの操作性がさらに向上する。
【００５７】
（実施形態４）
次に本発明の実施形態４を図７及び図８に基づいて説明する。図７は、本実施形態のスピーカ部２ａの構成図である。本実施形態のワイヤレス通信ステムが実施形態１〜３と異なり、特徴となる点は、基準電極Ｃに起動スイッチ１９が設けられている点である。
【００５８】
起動スイッチ１９を押下すると、その情報が本体制御部１８に伝送され、データ送信部１６から、データの送信を開始させる起動開始信号が送信される。起動開始信号は、リモコン操作器３のデータ受信部１２で受信されるとともに、リモコン操作器３のデータ送信部１１から、データが送信される。そのため、本実施形態では、リモコン操作器３には、データ送信部１１及びデータ受信部１２が設けられ、スピーカ部２ａには、データ送信部１６及びデータ受信部１７が設けられており、双方向通信が可能となるような構成となっている。
【００５９】
本実施形態の特徴となる起動スイッチ１９について図８を用いてさらに詳しく説明する。図８は、起動スイッチ１９の動作によるデータの送信状況を示す説明図である。本実施形態では、リモコン操作器３を操作した後にヘッドフォン２を装着する場合で説明する。
【００６０】
通常は、リモコン操作器３及びヘッドフォン２は省電力待機状態になっている。この状態で、リモコン操作器３の操作スイッチ５を操作すると、操作情報がリモコン制御部９を介してデータとしてデータ送信部１１に蓄積される。そして、リモコン操作器３は送信待機状態に入る。その後、使用者１がヘッドフォン２を装着すると、装着時の圧力で電極Ｃがスピーカ部２ａ側に押され、起動スイッチ１９がＯＮになる。
【００６１】
ここで、実施形態１及び２に示したように、ヘッドフォン２の信号電極Ｄが使用者１とは接触しない面（スピーカ部２ａの外面）に設けられている場合は、使用者１がヘッドフォン２を手で掴んで頭に装着しようとする時は、使用者１の手のひらが信号電極に接触しながらヘッドフォンが装着される。よって、ヘッドフォン２が装着されて起動スイッチ１９がＯＮになった時には、使用者１の手のひらが信号電極Ｄに接触している状態となり、ヘッドフォン２が装着されると即座にヘッドフォン２のデータ送信部１６からリモコン操作器３のデータ受信部１２に向かって起動開始信号が送信される。
【００６２】
また、実施形態３に示したように、ヘッドフォン２の信号電極Ｄが使用者１と接触する面（スピーカ部２ａの内面）に設けられている場合は、装着時にヘッドフォン２を持っている手指が使用者１の頭部に接触すると同時に、信号電極Ｄが使用者１の体に接触し、起動スイッチ１９はＯＮになり、ヘッドフォン２のデータ送信部１６からリモコン操作器３のデータ受信部１２に向かって起動開始信号が送信される。
【００６３】
この起動開始信号が、リモコン操作器３のデータ受信部１２で受信されると、リモコン操作器３のデータ送信部１１で送信待機状態となっているデータは、瞬時にスピーカ部２ａのデータ受信部１７に送信される。
【００６４】
本実施形態のデータ通信システムによれば、リモコン操作器３は、起動スイッチ１９の起動開始信号を受信してからヘッドフォン２にデータを送信するため、ヘッドフォン２にデータを送信するための無駄な送信動作や、スピーカ部２ａにおけるデータ受信部１７の無駄な受信動作を省くことができて、ひいてはリモコン操作器３の消費電力を抑えることができる。
【００６５】
（実施形態５）
次に本発明の実施形態５を図９に基づいて説明する。本実施形態のワイヤレス通信ステムが実施形態１〜４と異なり、特徴となる点は、リモコン操作器３が、ヘッドフォン２に起動開始信号を発信させるための起動要求信号を発する点である。本実施形態でも実施形態４と同様に、リモコン操作器３には、データ送信部１１及びデータ受信部１２が設けられ、スピーカ部２ａには、データ送信部１６及びデータ受信部１７が設けられており、双方向通信が可能となるような構成となっている。
【００６６】
具体的に、リモコン操作器３を操作した後にヘッドフォン２を装着する場合で説明する。実施形態４と同様に、通常、ヘッドフォン２とリモコン操作器３は、省電力待機状態になっている。ここで、リモコン操作器３の操作スイッチ５を操作すると、操作情報がデータとしてリモコン操作器３のデータ送信部１１に蓄積される。
【００６７】
操作スイッチ５の操作後、リモコン操作器３は、起動要求信号を一定周期間隔でスピーカ部２ａのデータ受信部１７に向けて送信している。
【００６８】
ここで、実施形態１及び２に示したように、ヘッドフォン２の信号電極Ｄが使用者１とは接触しない面（スピーカ部２ａの外面）に設けられている場合は、使用者１がヘッドフォン２を手で掴んで頭に装着しようとする時は、使用者１の手のひらが信号電極Ｄに接触しながらヘッドフォン２が装着される。よって、ヘッドフォン２が装着された時には、使用者１の手のひらが信号電極Ｄに接触している状態となり、ヘッドフォン２が装着されると即座にリモコン操作器３のデータ送信部１１から送信された起動要求信号をスピーカ部２ａのデータ受信部１７が受信する。
【００６９】
また、実施形態３に示したように、ヘッドフォン２の信号電極Ｄが使用者１と接触する面（スピーカ部２ａの内面）に設けられている場合は、装着時にヘッドフォン２を持っている手指が使用者１の頭部に接触すると同時に、信号電極Ｄが使用者１の体に接触され、即座にリモコン操作器３のデータ送信部１１から送信された起動要求信号をスピーカ部２ａのデータ受信部１７が受信する。
【００７０】
この起動要求信号をスピーカ部２ａのデータ受信部１７が受信すると、スピーカ部２ａのデータ送信部１６は、リモコン操作器３のデータ受信部１２に向かって、起動開始信号を送信し、リモコン操作器３のデータ受信部１２が起動開始信号を受信すると、リモコン操作器３のデータ送信部１１からスピーカ部２ａのデータ受信部１７に送信される。
【００７１】
本実施形態によれば、実施形態４のように起動スイッチ１９を設けなくてもシステム全体の消費電力を抑えることができる。
【００７２】
（実施形態６）
次に本発明の実施形態６を図１０に基づいて説明する。本実施形態のワイヤレス通信ステムの特徴となる点は、リモコン操作器３に、携帯電話等の携帯機器２０とデータを送受信できるインターフェイス部２１が設けられた点である。
【００７３】
実施形態１〜５のリモコン操作器３には、操作スイッチ５が設けられていたが、本実施形態のリモコン操作器３には操作スイッチ５は設けられておらず、代わりにインターフェイス部２１が設けられている。このインターフェイス部２１には、携帯電話等の携帯機器２０が接続されている。携帯機器２０の操作ボタンを操作すると、その操作情報がインターフェイス部２１を介してリモコン操作器３に伝送される。つまり、リモコン操作器２自体に設けていた操作スイッチ５を、携帯機器２０の操作ボタンに代用しているわけである。
【００７４】
携帯機器２０の操作ボタンで操作を行うと、その操作情報がインターフェイス部２１を介してリモコン操作器３にデータとして伝送される。操作情報は、携帯機器２０の表示部に表示される。この状態で、使用者１が自らの肌に手指で触れると、ヘッドフォン２のデータ受信部１７にデータが送信される。
【００７５】
また、逆にヘッドフォン２のデータ送信部１６からリモコン操作器３のデータ受信部１２にデータが送信される場合は、リモコン操作器３のデータ受信部１２で受信されたデータがインターフェイス部２１を介して携帯機器２０に伝送される。そして、携帯機器２０の表示部にデータの情報が表示されることになる。
【００７６】
本実施形態によれば、携帯機器２０の操作ボタンと表示部を利用することにより、リモコン操作器３自体に操作スイッチ５や表示部６を設ける必要がなく、低コスト化を図ることができる。
【００７７】
なお、本実施形態では、携帯機器２０はリモコン操作器３に対して外付けであったが、携帯機器２０の内部にリモコン操作器３を組み込んで一体にしてもよい。この場合、使用者１は携帯機器２０を手で掴んで操作することになる。よって、信号電極Ａ及び基準電極Ｂは、携帯機器２０における手のひらに接触するような部位に設けられることになる。
【図面の簡単な説明】
【００７８】
【図１】本実施形態１のデータ通信システムの使用状態を示した概要図である。
【図２】（ａ）は、同上のリモコン操作器の表面を示した正面図であり、（ｂ）は、同上のリモコン操作器の裏面を示した正面図である。
【図３】同上のリモコン操作器の内部構造を示した構成図である。
【図４】同上のヘッドフォンの内部構造を示した構成図である。
【図５】本発明の実施形態２を示した説明図である。
【図６】本発明の実施形態３を示した説明図である。
【図７】本発明の実施形態４を示した説明図である。
【図８】本発明の実施形態４を示した説明図である。
【図９】本発明の実施形態５を示した説明図である。
【図１０】本発明の実施形態６を示した説明図である。
【図１１】従来のデータ通信システムを示した図である。
【符号の説明】
【００７９】
１          人体（使用者）
２          ヘッドフォン（装着用機器）
３          リモコン操作器（通信用機器）
５          操作スイッチ
６          表示部
８          第１の通信用電極
１３        第２の通信用電極
１１，１６  データ送信部
１２，１７  データ受信部
１９        起動スイッチ
２０        携帯機器
２１        インターフェイス部
Ａ，Ｄ      信号電極
Ｂ，Ｃ      基準電極
【図１】
2007006420.tif 000003
【図２】
2007006420.tif 000004
【図３】
2007006420.tif 000005
【図４】
2007006420.tif 000006
【図５】
2007006420.tif 000007
【図６】
2007006420.tif 000008
【図７】
2007006420.tif 000009
【図８】
2007006420.tif 000010
【図９】
2007006420.tif 000011
【図１０】
2007006420.tif 000012
【図１１】
2007006420.tif 000013